(57)【特許請求の範囲】
【請求項１】
画像生成部において生成された画像を投影レンズ、第１の反射鏡及び第２の反射鏡を介し、スクリーンに投影し画像表示を行なう画像投影装置において、
前記画像生成部及び投影レンズを収納する本体部を有しており、
前記画像表示を行なわない第１の状態では、前記第１の反射鏡及び前記第２の反射鏡は、前記本体部の中に収納されており、
前記画像表示を行なう第２の状態では、前記第１の反射鏡及び前記第２の反射鏡は、前記本体部の外に配置されており、
前記第１の状態より、前記第１の反射鏡及び前記第２の反射鏡を同時に前記本体部に対し平行移動させることにより第３の状態となり、
前記第３の状態より、前記第１の反射鏡及び前記第２の反射鏡を回転させることにより、前記第１の反射鏡及び前記第２の反射鏡の配置を前記第２の状態とするものであって、
前記第１の反射鏡は、棒状に形成された第１の動作レバーの一方の端部と接続されており、
前記第２の反射鏡は、Ｌ字状に形成された第２の動作レバーの一方の端部と接続されており、
前記第１の動作レバーの他方の端部は、回転レバーの一方の端部と接続されており、前記第２の動作レバーの他方の端部は、前記回転レバーの他方の端部と接続されており、
前記回転レバーが前記回転レバーの回転軸を中心に、所定の角度回転することにより、前記第１の反射鏡及び前記第２の反射鏡を回転させ、前記第１の反射鏡及び前記第２の反射鏡の配置を前記第３の状態から前記第２の状態とするものであることを特徴とする画像投影装置。
【請求項２】
前記第１の状態では、前記第１の反射鏡と前記第２の反射鏡との間に前記投影レンズが配置されるように収納されるものであることを特徴とする請求項１に記載の画像投影装置。
【請求項３】
前記回転レバーは、前記回転レバーの回転軸を中心とする円弧状の外形を有し、前記円弧状の外形の一部には切り欠け部が設けられており、
前記平行移動する方向に延びる形状であって、一方の端部に前記切り欠け部に対応する形状の突起部を有する保持レバーを有し、
前記平行移動している状態では、前記突起部は、前記回転レバーの前記切り欠け部内に入り込んでおり、前記回転レバーは前記回転レバーの回転軸を中心として回転することができないことを特徴とする請求項１または２に記載の画像投影装置。
【請求項４】
前記本体部には終端ボスが設けられており、
前記第３の状態から前記第２の状態に移行する際には、前記保持レバーの一部と前記終端ボスとが接触することにより、前記保持レバーのみ前記平行移動の動きが止められ、前記回転レバーの前記切り欠け部に入り込んでいた前記保持レバーの前記突起部が、前記切り欠け部より離れるものであって、
前記回転レバーの前記切り欠け部より、前記保持レバーの前記突起部が離れることにより、前記回転レバーは前記回転レバーの回転軸を中心として回転するものであることを特徴とする請求項３に記載の画像投影装置。
【請求項５】
前記第１の反射鏡及び前記第２の反射鏡以外の１または複数の他の反射鏡を有し、
前記他の反射鏡は、前記第１の状態で前記本体部に収納され、前記第２の状態で、前記本体部の外に配置されるものであること特徴とする請求項１から４のいずれかに記載の画像投影装置。
【請求項６】
前記投影レンズの光軸と前記スクリーンとは、略平行に配置されていることを特徴とする請求項１から５のいずれかに記載の画像投影装置。
【請求項７】
画像生成部において生成された画像を投影レンズ、第１の反射鏡及び第２の反射鏡を介し、スクリーンに投影し画像表示を行なう画像投影装置において、
前記画像生成部及び投影レンズを収納する本体部を有しており、
前記画像表示を行なわない第１の状態では、前記第１の反射鏡及び前記第２の反射鏡は、前記本体部の中に収納されており、
前記画像表示を行なう第２の状態では、前記第１の反射鏡及び前記第２の反射鏡は、前記本体部の外に配置されており、
前記本体部の側面には、前記投影レンズの光軸と略垂直方向に倒すことが可能な位置合せ部を有しており、
前記位置合せ部は、前記位置合せ部を前記投影レンズの光軸と略垂直方向に倒した状態で、前記位置合せ部の先端部と前記スクリーンを含む面とを接触させることにより、前記本体部と前記スクリーンとの位置合せをすることができるように形成されていることを特徴とする画像投影装置。
【請求項８】
前記第１の反射鏡及び前記第２の反射鏡以外の１または複数の他の反射鏡を有し、
前記他の反射鏡は、前記第１の状態で前記本体部に収納され、前記第２の状態で、前記本体部の外に配置されるものであること特徴とする請求項７に記載の画像投影装置。
【請求項９】
前記投影レンズの光軸と前記スクリーンとは、略平行に配置されていることを特徴とする請求項７または８に記載の画像投影装置。
【発明の詳細な説明】
【技術分野】
【０００１】
本発明は、画像投影装置に関する。
【背景技術】
【０００２】
画像を表示する装置としては、透過型、反射型ドットマトリックス液晶、ＤＭＤ（Digital Micro mirror Device）等を用いたライトバルブと称する表示装置を用い、ライトバルブに表示される画像をスクリーンに拡大投射して大画面表示させる画像投影装置がある。このような画像投影装置は、プロジェクタと呼ばれており、レンズからの投影光をスクリーンに対し略垂直または垂直に近い位置より照射するものが一般的である。
【０００３】
しかしながら、このような画像投影装置では、スクリーンに投影される画像を見る際に画像投影装置が視界に入り、画像を快適に見ることができない場合がある。また、画像投影装置をスクリーン前方の所定の位置に設置する必要があるため、画像投影装置とスクリーン間におけるスペースはデッドスペースとなりスペース的なロスが生じてしまう。例えば、スクリーンに表示されている画像の説明を行なう場合に、画像投影装置とスクリーンとの間に人が入ると、スクリーンに表示される画像が人により一部遮られるため、スクリーンに表示されている画像を用いて直接説明等を行なうことが困難な場合がある。更に、プロジェクタにより投影される画像を拡大させたい場合には、プロジェクタをスクリーンより更に離す必要があり、このスペース的なロスは更に大きなものとなる。
【０００４】
このため、上述した問題点を解決するべく、画像表示装置であるプロジェクタを室内の天井部分に固定設置する方法や、投影光の反射を利用した特許文献１及び２等に示されるような至近投射タイプのプロジェクタも提案されている。
【発明の概要】
【発明が解決しようとする課題】
【０００５】
しかしながら、プロジェクタを室内の天井部分に設置する方法では、プロジェクタを室内の天井部分に設置するための工事が必要となり、このための工事費用が高価であること、プロジェクタが故障した場合等においてプロジェクタを取外す作業の負担が大きいこと、ランプ交換等の通常のメンテナンス作業の負担が大きいこと、プロジェクタが設置されている部屋専用のものとなりプロジェクタの使用効率が低くなってしまうこと等の問題点を有している。
【０００６】
また、特許文献１及び２等に示されるような至近投射タイプのプロジェクタでは、投影される画像の品質の観点より、プロジェクタからスクリーンへ投影される投射光線角度の上限に制限があるため、スクリーンにプロジェクタを近づけることにも限界があり、スクリーンとプロジェクタとを近づけすぎた場合には、プロジェクタにより表示される画面が小さくなり、表示される高さも低くなってしまうという問題点を有している。このため、一定の高さ位置に表示画像を投射するためには、専用の設置台が必要となる。更に、プロジェクタを構成する反射ミラー等の高精度の部品も必要となり、高価なものとなってしまうという問題点を有している。このような、問題点を解決するため、特許文献５に示すような画像投影装置が開示されている。
【０００７】
ところで、このような画像投影装置においては、使用していない状態では、できるだけコンパクトな状態となり反射ミラー等が露出していない方が、保全上及び持ち運びを容易にするという観点からも好ましい。
【０００８】
本発明は、上記に鑑みてなされたものであり、画像を投影する際のロスが少なく、投影されている画像を邪魔することのない位置に配置することのできる画像投影装置であって、使用していない状態では、反射ミラー等を収納することができ、小型で容易に持ち運びをすることのできる高性能な画像投影装置を提供することを目的とするものである。
【課題を解決するための手段】
【０００９】
本発明は、画像生成部において生成された画像を投影レンズ、第１の反射鏡及び第２の反射鏡を介し、スクリーンに投影し画像表示を行なう画像投影装置において、前記画像生成部及び投影レンズを収納する本体部を有しており、前記画像表示を行なわない第１の状態では、前記第１の反射鏡及び前記第２の反射鏡は、前記本体部の中に収納されており、前記画像表示を行なう第２の状態では、前記第１の反射鏡及び前記第２の反射鏡は、前記本体部の外に配置されており、前記第１の状態より、前記第１の反射鏡及び前記第２の反射鏡を同時に前記本体部に対し平行移動させることにより第３の状態となり、前記第３の状態より、前記第１の反射鏡及び前記第２の反射鏡を回転させることにより、前記第１の反射鏡及び前記第２の反射鏡の配置を前記第２の状態とするものであって、前記第１の反射鏡は、棒状に形成された第１の動作レバーの一方の端部と接続されており、前記第２の反射鏡は、Ｌ字状に形成された第２の動作レバーの一方の端部と接続されており、前記第１の動作レバーの他方の端部は、回転レバーの一方の端部と接続されており、前記第２の動作レバーの他方の端部は、前記回転レバーの他方の端部と接続されており、前記回転レバーが前記回転レバーの回転軸を中心に、所定の角度回転することにより、前記第１の反射鏡及び前記第２の反射鏡を回転させ、前記第１の反射鏡及び前記第２の反射鏡の配置を前記第３の状態から前記第２の状態とするものであることを特徴とする。
【００１０】
また、本発明は、前記第１の状態では、前記第１の反射鏡と前記第２の反射鏡との間に前記投影レンズが配置されるように収納されるものであることを特徴とする。
【００１１】
また、本発明は、前記第１の状態より、前記第１の反射鏡及び前記第２の反射鏡を同時に前記本体部に対し平行移動させることにより第３の状態となり、前記第３の状態より、前記第１の反射鏡及び前記第２の反射鏡を回転させることにより、前記第１の反射鏡及び前記第２の反射鏡の配置を前記第２の状態とするものであることを特徴とする。
【００１２】
また、本発明は、前記平行移動は、前記投影レンズの光軸に略平行に移動させること特徴とする。
【００１３】
また、本発明は、前記第１の反射鏡及び前記第２の反射鏡は各々の保持部材を介しリンク機構部材が接続されており、前記リンク機構部材には、バネ部が接続されており、前記バネ部の伸縮する力により、前記平行移動が行なわれるものであることを特徴とする。
【００１４】
また、本発明は、前記バネ部は、前記投影レンズの光軸方向に略垂直方向に伸縮するものであることを特徴とする。
【００１５】
また、本発明は、前記第１の反射鏡は、棒状に形成された第１の動作レバーの一方の端部と接続されており、前記第２の反射鏡は、Ｌ字状に形成された第２の動作レバーの一方の端部と接続されており、前記第１の動作レバーの他方の端部は、回転レバーの一方の端部と接続されており、前記第２の動作レバーの他方の端部は、前記回転レバーの他方の端部と接続されており、前記回転レバーが前記回転レバーの回転軸を中心に、所定の角度回転することにより、前記第１の反射鏡及び前記第２の反射鏡を回転させ、前記第１の反射鏡及び前記第２の反射鏡の配置を前記第３の状態から前記第２の状態とするものであることを特徴とする。
【００１６】
また、本発明は、前記回転レバーは、前記回転レバーの回転軸を中心とする円弧状の外形を有し、前記円弧状の外形の一部には切り欠け部が設けられており、前記平行移動する方向に延びる形状であって、一方の端部に前記切り欠け部に対応する形状の突起部を有する保持レバーを有し、前記平行移動している状態では、前記突起部は、前記回転レバーの前記切り欠け部内に入り込んでおり、前記回転レバーは前記回転レバーの回転軸を中心として回転することができないことを特徴とする。
【００１７】
また、本発明は、前記本体部には終端ボスが設けられており、前記第３の状態から前記第２の状態に移行する際には、前記保持レバーの一部と前記終端ボスとが接触することにより、前記保持レバーのみ前記平行移動の動きが止められ、前記回転レバーの前記切り欠け部に入り込んでいた前記保持レバーの前記突起部が、前記切り欠け部より離れるものであって、前記回転レバーの前記切り欠け部より、前記保持レバーの前記突起部が離れることにより、前記回転レバーは前記回転レバーの回転軸を中心として回転するものであることを特徴とする。
【００１８】
また、本発明は、前記第１の反射鏡及び前記第２の反射鏡以外の１または複数の他の反射鏡を有し、前記他の反射鏡は、前記第１の状態で前記本体部に収納され、前記第２の状態で、前記本体部の外に配置されるものであること特徴とする。
【００１９】
また、本発明は、前記投影レンズの光軸と前記スクリーンとは、略平行に配置されていることを特徴とする。
【００２０】
また、本発明は、画像生成部において生成された画像を投影レンズ、第１の反射鏡及び第２の反射鏡を介し、スクリーンに投影し画像表示を行なう画像投影装置において、前記画像生成部及び投影レンズを収納する本体部を有しており、前記画像表示を行なわない第１の状態では、前記第１の反射鏡及び前記第２の反射鏡は、前記本体部の中に収納されており、前記画像表示を行なう第２の状態では、前記第１の反射鏡及び前記第２の反射鏡は、前記本体部の外に配置されており、前記本体部の側面には、前記投影レンズの光軸と略垂直方向に倒すことが可能な位置合せ部を有しており、前記位置合せ部は、前記位置合せ部を前記投影レンズの光軸と略垂直方向に倒した状態で、前記位置合せ部の先端部と前記スクリーンを含む面とを接触させることにより、前記本体部と前記スクリーンとの位置合せをすることができるように形成されていることを特徴とする。
【発明の効果】
【００２１】
本発明によれば、画像を投影する際のロスが少なく、投影されている画像を邪魔することのない位置に配置することのできる画像投影装置であって、使用していない状態では、反射ミラー等を収納することができ、小型で容易に持ち運びをすることのできる高性能な画像投影装置を提供することができる。
【図面の簡単な説明】
【００２２】
【図１】本実施の形態における画像投影装置の外観斜視図
【図２】本実施の形態における画像投影装置の第１及び第２の反射鏡の動作説明図（１）
【図３】本実施の形態における画像投影装置の第１及び第２の反射鏡の動作説明図（２）
【図４】本実施の形態における画像投影装置の第１及び第２の反射鏡の動作説明図（３）
【図５】本実施の形態における画像投影装置の画像投影している状態を示す図
【図６】第１反射鏡及び第２の反射鏡の取り出し機構の説明図（１）
【図７】第１反射鏡及び第２の反射鏡の取り出し機構の説明図（２）
【図８】第１反射鏡及び第２の反射鏡の取り出し機構の説明図（３）
【図９】第１反射鏡及び第２の反射鏡の取り出し機構の説明図（４）
【図１０】第１反射鏡及び第２の反射鏡の取り出し機構の説明図（５）
【発明を実施するための形態】
【００２３】
以下、本発明の実施形態について説明する。尚、図面において同一または相当部分には同一の参照符号で示す。
【００２４】
（画像投影装置）
本実施の形態における画像投影装置について、図１に基づき説明する。本実施の形態における画像投影装置は、本体部１０と本体部１０に収納可能な第１の反射鏡２０及び第２の反射鏡３０を有している。第１の反射鏡２０は、本体部１０の一方の面に設けられた第１の反射鏡収納部２１に収納されており、第２の反射鏡２０は、本体部１０の一方の面に対向する他方の面に設けられた第２の反射鏡収納部３１に収納されている。図１（ａ）は、本実施の形態における画像投影装置において、画像投影装置を使用していない状態を示すものであり、第１の反射鏡２０及び第２の反射鏡３０が本体部１０内に収納されている状態（第１の状態）を示す。また、図１（ｂ）は、本実施の形態における画像投影装置において、画像投影装置が使用可能な状態（第２の状態）を示すものであり、第１の反射鏡２０及び第２の反射鏡３０が本体部１０より取り出されている状態を示す。
【００２５】
本実施の形態における画像投影装置は、図１（ｂ）に示されるように、第１の反射鏡２０を本体部１０における第１の反射鏡収納部２１より取り出し所定の位置に設置し、同様に、第２の反射鏡３０を本体部１０における第２の反射鏡収納部３１より取り出し所定の位置に設置する。具体的には、本体部１０の上面において第１の反射鏡収納部２１に設けられた開口部２２より、第１の反射鏡２０を取り出し所定の位置に設置し、本体部１０の上面において第２の反射鏡収納部３１に設けられた開口部３２より第２の反射鏡３０を取り出し所定の位置に設置する。
【００２６】
尚、本体部１０の下部には位置合せ部４０を有しており、本体部１０の側面より位置合せ部４０を床面方向に倒すことにより、本体部１０を安定的に設置することができる。また、位置合せ部４０の高さＨは、本体部１０と後述するスクリーン５０との間隔が所定の距離となるような高さで形成されている。即ち、壁面６０等をスクリーン５０として用いる場合、位置合せ部４０は、本体部１０より位置合せ部４０を倒し、位置合せ部４０の先端部４１をスクリーン５０となる壁面６０等に接触させることにより、スクリーン５０に所望の状態で画像が投影されるように形成されている。尚、本体部１０より位置合せ部４０が倒れた状態では、位置合せ部４０の側面（位置合せ部４０が倒れた状態での底面）は、後述する投影レンズ部１２の光軸１２ａと略垂直となるように形成されている。
【００２７】
次に、本実施の形態における画像投影装置において、図１（ａ）に示す状態から図１（ｂ）に示す状態に移る間における本体部１０内の内部の動作について、図２から図４に基づき説明する。本体部１０は、ＤＭＤ等からなる画像生成部１１及び投影レンズ部１２を有している。一例として、投影レンズ部１２は、第１のレンズ１３、第２のレンズ１４、第３のレンズ１５の３枚のレンズからなる場合について示しているが、これに限定されるものではない。
【００２８】
最初、図２に示すように、本実施の形態における画像投影装置が、図１（ａ）に示す状態（第１の状態）、即ち、第１の反射鏡２０及び第２の反射鏡３０が、本体部１０内に収納されている状態にある。この状態では、第１の反射鏡２０と第２の反射鏡３０とは、投影レンズ部１２を介し対向した位置に配置されており、第１の反射鏡２０と第２の反射鏡３０は互いに対向する面が鏡面となっている。尚、投影レンズ部１２における光軸１２ａの方向をＺ軸方向とする。
【００２９】
次に、図３に示すように、本体部１０より、第１の反射鏡２０及び第２の反射鏡３０を取り出し第３の状態とする。具体的には、本体部１０における第１の反射鏡収納部２１及び第２の反射鏡収納部３１より、第１の反射鏡２０及び第２の反射鏡３０を投影レンズ部１２の光軸１２ａに対し略平行に、即ち、＋Ｚ軸方向に移動させる。この状態においては、第１の反射鏡２０と第２の反射鏡３０との相対的な位置関係は、図２に示す場合と同じである。
【００３０】
次に、図４に示すように、第１の反射鏡２０が所定の角度となるように傾斜させるとともに、第２の反射鏡３０も所定の角度となるように傾斜させ第２の状態とする。具体的には、第１の反射鏡２０及び第２の反射鏡３０について、Ｙ軸方向を回転軸として回転させることにより、第１の反射鏡２０及び第２の反射鏡３０を各々所定の角度となるように傾斜させる。
【００３１】
この後、画像生成部１１より投影される画像を形成するための光が供給され、投影レンズ部１２を介し、第１の反射鏡２０及び第２の反射鏡３０において反射され、スクリーン５０には画像が投影される。尚、画像生成部１１では、投影レンズ部１２、第１の反射鏡２０及び第２の反射鏡３０を介し、スクリーン５０に投影される画像が所望の画像となるように調整されており、また、第１の反射鏡２０及び第２の反射鏡３０の表面は、所望の画像を表示することができるように所定の形状で鏡面加工等がなされている。
【００３２】
尚、スクリーン５０は、ＹＺ面と略平行となるように設置されており、投影レンズ部１２における光軸１２ａと略平行となっている。
【００３３】
図５に、本実施の形態における画像投影装置において、スクリーン５０に画像が投影されている状態の外観を示す。本実施の形態における画像投影装置は、スクリーン５０において画像が投影されている領域５１の直前となる位置には、画像投影装置が存在していない。このため、スクリーン５０に表示されている画像が画像投影装置により邪魔されることがないため、快適に表示されている画像を快適に見ることができる。
【００３４】
また、本実施の形態における画像投影装置は、専用台等も不要である。また、画像を投影する際に使用される第１の反射鏡２０及び第２の反射鏡３０は、画像を投影しない状態では、画像投影装置の本体部１０に収納することができるため、不使用時において、第１の反射鏡２０及び第２の反射鏡３０が邪魔になることはない。このように収納することができるため、画像投影装置を簡単に持ち運びすることができ、更には、室内が投影された画像を見るための専用部屋等となることもない。
【００３５】
（取り出し機構）
次に、本実施の形態における画像投影装置において、図６から図１０に基づき、本体部１０から第１の反射鏡２０及び第２の反射鏡３０を取り出す機構について説明する。尚、図７及び図９においては、画像生成部１１及び投影レンズ部１２が存在している位置は、二点鎖線で示す。
【００３６】
図６及び図７は、本体部１０に第１の反射鏡２０及び第２の反射鏡３０が収納されている状態（第１の状態）を示す。図６は、本実施の形態における画像投影装置の本体部１０をＸＺ面における内部の構造図であり、図７は、ＹＺ面における内部の構造図である。
【００３７】
図６に示すように、第１の反射鏡２０は、第１の保持部材１２０により保持されている。第１の保持部材１２０は、第１の反射鏡２０を保持するとともに、第１の反射鏡２０の傾きや位置関係を調節することができるものである。また、第２の反射鏡３０は、第２の保持部材１３０により保持されている。第２の保持部材１３０は、第２の反射鏡３０を保持するとともに、第２の反射鏡３０の傾きや位置関係を調節することができるものである。
【００３８】
図７は、第２の反射鏡３０が本体部１０に収納されている状態を示す。第２の保持部材１３０は、押し部材１１０により保持されており、押し部材１１０は、Ｚ軸方向に伸びる２本のレール部１１１及び１１２に沿って、Ｚ軸方向に移動可能である。押し部材１１０は、第１のリンク部材１１３の一方の端部と回転可能な状態で接続されており、第１のリンク部材１１３の略中央部分では、第２のリンク部材１１４の一方の端部が回転可能な状態で接続されている。第１のリンク部材１１３の他方の端部と第２のリンク部材１１４の他方の端部とはバネ部１１５により接続されており、図７に示される状態においては、バネ部１１５が縮む方向に力が加わるように接続されている。尚、図７は、第２の反射鏡３０の場合について示しているが、第１の反射鏡２０についても、同様の押し部材が設けられており、上述した第１のリンク部材１１３と接続されている。また、本願においては、第１のリンク部材１１３及び第２のリンク部材１１４により構成される部材をリンク機構部材とも称する。
【００３９】
また、第１のリンク部材１１４の他方の端部は、バネ部１１５の伸縮方向、即ち、Ｙ軸方向に移動可能となるように接続されている。即ち、本体部１０の内部には、Ｙ軸方向に延びる長穴部１１６が設けられており、第１のリンク部材１１４の他方の端部は、この長穴部１１６内を移動可能な状態で接続されている。
【００４０】
第１の動作レバー１４０は棒状又は板状の形状のものであり、第１の動作レバー１４０の一方の端部は、第１の保持部材１２０と接続されている。第１の動作レバー１４０の中央部分では、押し部材１１０等に回転軸１４１を中心に回転可能な状態で取り付けられており、第１の動作レバー１４０の他方の端部における接続部１４２では、後述する回転レバー１５０の一方の端部と回転可能な状態で接続されている。また、第１の動作レバー１４０にはバネ１４３が接続されており、図６に示す状態では、バネ１４３が縮む方向に力が加わっている。
【００４１】
回転レバー１５０は、半円を有する形状で形成されており、押し部材１１０等に回転軸１５１を中心に回転可能な状態で取り付けられている。回転レバー１５０の外形の一部は、回転軸１５１を中心とする円周状に形成されており、この円周状の外形の一部には、切り欠け部１５２が設けられており、後述する保持レバー１６０における突起部１６１が入り込むことができるような形状で形成されている。尚、保持レバー１６０における突起部１６１が切り欠け部１５２に入り込んだ状態においては、回転レバー１５０は、回転軸１５１を中心に回転することはない。
【００４２】
保持レバー１６０は、棒状又は板状に形成されており、一方の端部には回転レバー１５０の切り欠け部１５２の形状に対応した形状の突起部１６１を有し、他方の端部には先端部１６２を有している。保持レバー１６０は、保持レバー１６０が＋Ｚ軸方向に沿って移動するが、所定の位置に到達した際に、保持レバー１６０の先端部１６２が本体部１０に設けられた後述する終端ボス１８０と接触するように配置されている。
【００４３】
第２の動作レバー１７０は、Ｌ字状に形成されており、第２の動作レバー１７０の一方の端部は、第２の保持部材１３０と接続されており、第２の動作レバーのＬ字状に曲がった部分において、押し部材１１０等に回転軸１７１を中心に回転可能な状態で取り付けられている。第２の動作レバー１７０の他方の端部は、接続部１７２において回転可能な状態で回転レバー１５０の他方の端部と接続されている。また、第２の動作レバー１７０にはバネ１７３が接続されており、図６に示す状態では、バネ１７３が縮む方向に力が加わっている。尚、この状態では、回転レバー１５０の切り欠け部１５２に保持レバー１６０の突起部１６１が、入り込んでいる状態にあり、回転レバー１５０が回転軸１５１を中心として回転することはない。
【００４４】
本実施の形態における画像投影装置において、第１の反射鏡２０及び第２の反射鏡３０を取り出す際には、まず、図８に示すように、第１の反射鏡２０及び第２の反射鏡３０を含む、第１の保持部材１２０、第２の保持部材１３０、第１の動作レバー１４０、回転レバー１５０、保持レバー１６０及び第２の動作レバー１７０を全体に、＋Ｚ軸方向に移動し、第３の状態とする。具体的には、第１の反射鏡２０及び第２の反射鏡３０を含む、第１の保持部材１２０、第２の保持部材１３０、第１の動作レバー１４０、回転レバー１５０、保持レバー１６０及び第２の動作レバー１７０は、押し部材１１０等に接続されており、図９に示すように、バネ部１１５の縮む力を利用して第１のリンク部１１３及び第２のリンク部１１４が動作し、押し部材１１０を本体部１０の外側に押し出す方向に力が働くことにより、第１の反射鏡２０及び第２の反射鏡３０を本体部１０の外に押し出す。
【００４５】
尚、図８は、本実施の形態における画像投影装置の本体部１０をＸＺ面における内部の構造図であり、図９は、ＹＺ面における内部の構造図である。
【００４６】
次に、図１０に示すように、第３の状態から第２の状態に移行する。具体的には、第１の反射鏡２０及び第２の反射鏡３０が本体部１０の外に出され、本体部１０に設けられた終端ボス１８０と保持レバー１６０の先端部１６２とが接触した状態では、本体部１６０は、それ以上外側には移動することができない。しかしながら、第１の反射鏡２０及び第２の反射鏡３０を含む、第１の保持１２０、第２の保持部材１３０、第１の動作レバー１４０、回転レバー１５０、保持レバー１６０及び第２の動作レバー１７０は、更に、＋Ｚ軸方向に移動し、回転レバー１５０の切り欠け部１５２に入り込んでいた保持レバー１６０の突起部１６１が、回転レバー１５０の切り欠け部１５２より離れる。これにより、回転レバー１５０は、回転軸１５１を中心に回転可能な状態となり、時計の回転方向に回転する。この回転に伴い、バネ１４３の力により、第１の動作レバー１４０は回転軸１４１を中心に回転し、第１の反射鏡２０を含む第１の支持部材１２０は所定の位置に配置され、同様に、バネ１７３の力により、第２の動作レバー１７０は回転軸１７１を中心に回転し、第２の反射鏡３０を含む第２の支持部材１３０は所定の位置に設置される。尚、図１０は、本実施の形態における画像投影装置の本体部１０をＸＺ面における内部の構造図である。
【００４７】
このようにして第１の反射鏡２０及び第２の反射鏡３０を所定の位置に配置することができる。
【００４８】
尚、本実施の形態における画像投影装置を使用した後は、バネ１４３及び１７３の力に抗して、第１の反射鏡２０及び第２の反射鏡３０を図８に示すような状態（第３の状態）とした後、バネ部１１５の力に抗して、第１の反射鏡２０及び第２の反射鏡３０を本体部１０の内部、即ち、−Ｚ軸方向に押し込むことにより、図６に示す第１の状態とすることにより、第１の反射鏡２０及び第２の反射鏡３０を本体部１０の内部に収納することができる。
【００４９】
また、本実施の形態では、第１の反射鏡２０及び第２の反射鏡３０を有する画像投影装置について説明したが、本実施の形態における画像投影装置においては、第１の反射鏡２０及び第２の反射鏡３０以外の１または２以上の他の反射鏡を有するものであってもよい。この場合、この他の反射鏡は、第１の状態で本体部１０内に収納され、第２の状態で本体部１０の外側に取り出され、所定の位置に配置される。
【００５０】
以上、本発明の実施に係る形態について説明したが、上記内容は、発明の内容を限定するものではない。
【符号の説明】
【００５１】
１０        本体部
１１        画像生成部
１２        投影レンズ部
１３        第１のレンズ
１４        第２のレンズ
１５        第３のレンズ
２０        第１の反射鏡
２１        第１の反射鏡収納部
２２        開口部
３０        第２の反射鏡
３１        第２の反射鏡収納部
３２        開口部
４０        位置合せ部
４１        先端部
５０        スクリーン
５１        画像が投影されている領域
１１０      押し部材
１１１      レール部
１１２      レール部
１１３      第１のリンク部材
１１４      第２のリンク部材
１１５      バネ部
１１６      長穴部
１２０      第１の保持部材
１３０      第２の保持部材
１４０      第１の動作レバー
１４１      回転軸
１４２      接続部
１４３      バネ
１５０      回転レバー
１５１      回転軸
１５２      切り欠け部
１６０      保持レバー
１６１      突起部
１６２      先端部
１７０      第２の動作レバー
１７１      回転軸
１７２      接続部
１７３      バネ
１８０      終端ボス
【先行技術文献】
【特許文献】
【００５２】
【特許文献１】特開２００９−１２２５８７号公報
【特許文献２】特開２００８−０９６７６１号公報
【特許文献３】特開２００７−２２５７４９号公報
【特許文献４】特開２００９−０３１３３６号公報
【特許文献５】特開２００８−０９６９８３号公報
【図１】
0005549415.tif 000002
【図２】
0005549415.tif 000003
【図３】
0005549415.tif 000004
【図４】
0005549415.tif 000005
【図５】
0005549415.tif 000006
【図６】
0005549415.tif 000007
【図７】
0005549415.tif 000008
【図８】
0005549415.tif 000009
【図９】
0005549415.tif 000010
【図１０】
0005549415.tif 000011